(57)【要約】【課題】噴流とキャビテーションという効果的な機械的殺滅によりオゾン使用量を削減できるバラスト水の処理装置を提供すること。【解決手段】バラスト水をバラストタンク２に供給する主処理ラインに、該バラスト水を噴流と為す水噴射ノズルと該噴流が当たってキャビテーションを生じさせる衝撃板とを有する噴流発生手段を備え、且つ該噴流発生手段の前方又は後方にオゾン供給部１４を配設することを特徴とするバラスト水の処理装置。【選択図】        図１
2006218458.tif 000002
【特許請求の範囲】
【請求項１】
バラスト水をバラストタンクに供給する主処理ラインに、該バラスト水を噴流と為す水噴射ノズルと該噴流が当たってキャビテーションを生じさせる衝撃板とを有する噴流発生手段を備え、且つ該噴流発生手段の前方又は後方にオゾン供給部を配設することを特徴とするバラスト水の処理装置。
【請求項２】
前記オゾン供給部は、オゾン含有バラスト水製造手段に連結されており、該オゾン含有バラスト水製造手段は、バラスト水を導入した反応タンクと、該反応タンク内のバラスト水を加圧する加圧手段と、加圧された反応タンクにオゾンを供給するオゾン供給手段とからなり、該反応タンク内のオゾン溶解濃度は１〜２００ｐｐｍの範囲に調整されることを特徴とする請求項１記載のバラスト水の処理装置。
【請求項３】
前記オゾン含有バラスト水製造手段から供給されるオゾン含有バラスト水量と主処理ラインのバラスト水量の比が１：５〜１０００の範囲であることを特徴とする請求項２記載のバラスト水の処理装置。
【請求項４】
前記主処理ラインに、前記噴流発生装置の後方に、前記バラストタンクに供給されるバラスト水を滞留させて殺菌を行う殺菌タンクを有し、
前記反応タンク内のオゾン含有バラスト水を主処理ラインに供給する配管が、前記殺菌タンクに接続されることを特徴とする請求項２又は３記載のバラスト水の処理装置。
【請求項５】
前記反応タンクが、０．１〜２ＭＰａ（１〜２０ｋｇｆ／ｃｍ２）に加圧されることを特徴とする請求項２、３又は４記載のバラスト水の処理装置。
【発明の詳細な説明】
【技術分野】
【０００１】
本発明は、バラスト水の処理装置に関し、詳しくは、噴流とキャビテーションという効果的な機械的殺滅によりオゾン使用量を削減できるバラスト水の処理装置に関する。
【背景技術】
【０００２】
原油等を輸送する貨物用船舶には、航行時の船体の安定性を保つためにバラストタンクが設けられている。通常、原油等が積載されていないときには、バラストタンク内をバラスト水で満たし、原油等を積み込む際にバラスト水を排出することにより、船体の浮力を調整し、船体を安定化させている。
【０００３】
このようにバラスト水は、船舶の安全な航行のために必要な水であり、通常、荷役を行う港湾の海水が利用される。その量は、世界的にみると年間１００億トンを超えるといわれている。
【０００４】
ところで、バラスト水中には、それを取水した港湾に生息する微生物や小型・大型生物の卵が混入しており、船舶の移動に伴い、これら微生物や小型・大型生物の卵が同時に異国に運ばれることになる。
【０００５】
従って、もともとその海域には生息していなかった生物種が、既存生物種に取って代わるといった生態系の破壊が深刻化している。
【０００６】
このような背景の中、国際海事機関（ＩＭＯ）の外交会議において、バラスト水処理装置等に係る定期的検査の受検義務が採択され、２００９年以降の建造船から適用される予定となっている。
【０００７】
また、船舶のバラスト水及び沈殿物の規制及び管理のための条約（以下、条約という）により、バラスト水の排出基準は、以下の表１のようになる予定である。
【０００８】
【表１】
2006218458.tif 000003
【０００９】
このため、バラスト水の排出時に外洋に存在する微生物数の１００分の１程度まで殺菌あるいは除菌することが必要となっている。
【００１０】
以上のような背景から、上記のような問題を解決できるバラスト水の殺菌／除菌技術の開発が急務となっている。
【００１１】
従来、プランクトンを含む水の殺菌・除菌技術としては、物理的手法として特許文献１に記載の技術が知られている。
【００１２】
また、オゾンを用いた化学的手法として、特許文献２に記載の技術が知られている。
【特許文献１】特開２０００−２２９２８５号公報
【特許文献２】特開２００４−１６０４３７号公報
【発明の開示】
【発明が解決しようとする課題】
【００１３】
特許文献１は、プランクトンを含む水を、噴流にして衝撃板に衝突させて、水中の微生物を破壊して殺減する技術である。
【００１４】
しかし、特許文献１は、バラスト水の処理に関しては開示しておらず、また一部微生物や菌体を破壊して殺減することができない欠点がある。
【００１５】
特許文献２の技術では、オゾン使用量が多くなる問題があり、オゾンの削減が求められる。
【００１６】
そこで、本発明の課題は、噴流とキャビテーションという効果的な機械的殺滅によりオゾン使用量を削減できるバラスト水の処理装置を提供することにある。
【００１７】
本発明の他の課題は、以下の記載により明らかとなる。
【課題を解決するための手段】
【００１８】
上記課題は、以下の各発明によって解決される。
【００１９】
（請求項１）
バラスト水をバラストタンクに供給する主処理ラインに、該バラスト水を噴流と為す水噴射ノズルと該噴流が当たってキャビテーションを生じさせる衝撃板とを有する噴流発生手段を備え、且つ該噴流発生手段の前方又は後方にオゾン供給部を配設することを特徴とするバラスト水の処理装置。
【００２０】
（請求項２）
前記オゾン供給部は、オゾン含有バラスト水製造手段に連結されており、該オゾン含有バラスト水製造手段は、バラスト水を導入した反応タンクと、該反応タンク内のバラスト水を加圧する加圧手段と、加圧された反応タンクにオゾンを供給するオゾン供給手段とからなり、該反応タンク内のオゾン溶解濃度は１〜２００ｐｐｍの範囲に調整されることを特徴とする請求項１記載のバラスト水の処理装置。
【００２１】
（請求項３）
前記オゾン含有バラスト水製造手段から供給されるオゾン含有バラスト水量と主処理ラインのバラスト水量の比が１：５〜１０００の範囲であることを特徴とする請求項２記載のバラスト水の処理装置。
【００２２】
（請求項４）
前記主処理ラインに、前記噴流発生装置の後方に、前記バラストタンクに供給されるバラスト水を滞留させて殺菌を行う殺菌タンクを有し、
前記反応タンク内のオゾン含有バラスト水を主処理ラインに供給する配管が、前記殺菌タンクに接続されることを特徴とする請求項２又は３記載のバラスト水の処理装置。
【００２３】
（請求項５）
前記反応タンクが、０．１〜２ＭＰａ（１〜２０ｋｇｆ／ｃｍ２）に加圧されることを特徴とする請求項２、３又は４記載のバラスト水の処理装置。
【発明の効果】
【００２４】
請求項１、２記載の発明によれば、主処理ラインに設けた噴流発生装置の噴流とキャビテーション作用により微生物等の効果的な殺滅ができるので、オゾン消費量を減少できるバラスト水の処理装置を提供することができる。
【００２５】
請求項３記載の発明によれば、前記オゾン含有バラスト水製造手段から供給されるオゾン含有バラスト水量と主処理ラインのバラスト水量の比が１：５〜１０００の範囲であるため、主処理ラインへのオゾン量を大幅に低減できるバラスト水の処理装置を提供できる。
【００２６】
請求項４記載の発明によれば、前記主処理ラインに殺菌タンクを有することにより、殺菌が充分に行えるバラスト水の処理装置を提供できる。
【００２７】
請求項５記載の発明によれば、前記反応タンクが、０．１〜２ＭＰａ（１〜２０ｋｇｆ／ｃｍ２）に加圧されることにより、オゾン溶解量が増大し、反応タンク内でのバラスト水の殺菌のみならず、残留オゾンが主処理ラインでも殺菌に寄与する。
【発明を実施するための最良の形態】
【００２８】
以下、本発明の実施の形態について図面を用いて説明する。
【００２９】
図１は、本発明に係るバラスト水の処理装置の概要を示す構成図である。
【００３０】
図中、主処理ラインは、海水又は淡水からなるバラスト水（本実施の形態では海水について説明する。）を取水する取水配管１と、取水したバラスト水をバラストタンク２に移送するポンプ３を基本的に備えている。
【００３１】
４は取水配管１の途中に設けられた噴流発生装置である。噴流発生装置４は、図２に示すように、水噴射ノズル４１と衝撃板４２によって構成されている。
【００３２】
水噴射ノズル４１の形状は、特に限定されないが、図示の例のように絞り部４１０と拡開部４１１を有する形態が好ましい。かかる絞り部４１０によって取水配管１を流れる水は一旦絞られ、次いで拡開部４１１によって水流は噴射するように流れる。即ち噴流が形成される。この形態では絞り部４１０が噴流の始点となる。
【００３３】
衝撃板４２は、支持基板４２０に接設され、該支持基板４２０に設けられた支持部材４２１によって挟持されている。該衝撃板４２は着脱可能に固定されることが好ましい。なお、支持部材４２１は水の流れ方向の噴流の圧力があるので必ずしも設ける必要はない。
【００３４】
衝撃板４２の大きさは、配管１の内径より小さく形成され、外周あるいは上下（又は左右）から水を通過可能となるように形成されることが好ましい。支持基板４２０には衝撃板４２の外周または上下（又は左右）から通過した水を図面上右側の配管１に流れるようにするための間隙４２２が形成されている。４３はレジューサーである。
【００３５】
衝撃板４２は、図３に示すように方形状（例えば正方形）に形成し、外周の４方向に水の流れる部位４２３が形成されてもよいし、図４に示すように上下方向に水の流れる部位４２３が形成されてもよい。
【００３６】
図３において、衝撃板４２を固定する手段の他の例を説明する。水の流れ方向は図の前面から背面に向う方向である。正方形の衝撃板４２の４角に位置決め金具４２４を設け、衝撃板４２の背面に支持梁４２０を対角線に交差するように設ける。この例は図２の支持基板４２０に代えて支持梁４２０を設けた例である。
【００３７】
水噴射ノズル４１で形成される噴流の始点である絞り部４１０と衝撃板４２の距離はキャビテーションと衝撃による殺滅が効果的に発生するように適宜設定される。
【００３８】
上記の態様において、水噴射ノズル４１により噴流を形成することにより、急激な圧力変化を与えると、キャビテーションを発生させることができるので、バラスト水中のプランクトン等の微生物を破壊し、殺減する。
【００３９】
また、バラスト水がポンプ３の駆動によって取水配管１内から水噴射ノズル４１に、例えば２０〜３０ｍ／ｓｅｃで移送されると、衝撃板４２にぶつかり、噴流による高い圧力と負圧と言った急激な圧力変化と衝撃板４２への衝突による急激な衝撃力と摩擦力により、バラスト水に含まれるプランクトン等の微生物の気胞や細胞壁を破壊して殺減する。
【００４０】
噴流発生装置４は、上述の態様に限定されず、ノズルを複数個対向させたり、角度を持たせたりして、キャビテーションの効果を増大させてもよく、また、衝撃板の表面形状を凹状又は凹凸状にすることにより、同様にキャビテーションの効果を増大させることが可能となり、キャビテーション効果の増大に伴って殺減効果を高めることができる。
【００４１】
バラストタンク２には、このように取水配管１内を通って噴流発生装置４を通過することにより、バラスト水中の微生物が破壊され、殺減されたバラスト水が供給される。
【００４２】
このように取水配管１を通ってバラストタンク２に供給されるバラスト水の供給ラインによって主処理ラインが構成される。
【００４３】
一方、港湾等から取水されたバラスト水（海水又は淡水）は、上記主処理ラインとは別の取水配管５の途中にオゾン含有バラスト水製造手段を有しており、該オゾン含有バラスト水製造手段は、バラスト水を導入した反応タンク８と、該反応タンク８内のバラスト水を加圧する加圧手段（例えば、ポンプ６）と、加圧された反応タンク８にオゾンを供給するオゾン供給手段（図示せず）を少なくとも備えている。
【００４４】
取水配管５の途中には静的混合器７（例えばラインミキサー、スタティックミキサー）が設けられており、この静的混合器７には、図示しないオゾン供給手段の一態様であるオゾン生成装置により生成されたオゾンが供給されることで、ポンプ６によって移送される取水配管５内のバラスト水中にオゾンを混入するようになっている。
【００４５】
静的混合器７によってオゾンが混入されたバラスト水は反応タンク８に貯留され、該反応タンク８においてバラスト水中にオゾンを溶解させる。
【００４６】
この反応タンク８内のバラスト水中のオゾン溶解濃度は１〜２００ｐｐｍの高濃度の範囲に調整される。
【００４７】
反応タンク８は、排オゾンを排出して除去するための排オゾン管９を有しており、弁１０によって開閉されるようになっている。排オゾン管９を通って排出されたオゾンは、図示しないオゾン吸着装置等によってオゾンが除去されて排気される。
【００４８】
反応タンク８内のオゾンが溶解したバラスト水は、弁１２によって開閉される排出管１１を通って排出され、主処理ラインのオゾン供給部１４に供給されるように構成されている。
【００４９】
反応タンク８には、各弁１０、１２が閉じた状態でポンプ６の圧力によって取水配管５を通ってバラスト水を圧送し、該バラスト水を加圧状態で貯留する。このように加圧すると、反応タンク８内におけるバラスト水中のオゾン溶解量を増大させることができるために好ましい。好ましい加圧条件は、０．１〜２ＭＰａ（１〜２０ｋｇｆ／ｃｍ２）である。
【００５０】
主処理ラインのオゾン供給部１４の位置は、図１では、噴流発生装置４の前方（上流）に接続されている。排出管１１を噴流発生装置４の前方に接続することで、噴流発生装置４を通過する前のバラスト水中の微生物をオゾンによって殺菌することができるため、噴流発生装置４の負荷を軽減することができる。
【００５１】
ここで、排出管１１によって主処理ラインの取水配管１に供給する反応タンク８内のオゾン含有バラスト水量と主処理ラインの取水配管１内を流れるバラスト水量の比が１：５〜１０００の範囲となるように調整される。すなわち、ポンプ３の駆動によって取水配管１内を移送される主処理ライン中のバラスト水の水量に対し、反応タンク８から排出管１１を通って移送されるオゾン含有バラスト水の水量が１／５〜１／１０００となるように調整される。排出管１１内のバラスト水の流量は、弁１２を適宜調整することによって調整することができる。
【００５２】
これにより、主処理ラインの取水配管１内をバラストタンク２に向けて流れるバラスト水中に、反応タンク８内のオゾン含有バラスト水の１／５〜１／１０００の濃度のオゾンが供給されることになる。
【００５３】
従って、取水配管１内を流れるバラスト水中において噴流発生装置４によって殺減されない大きさの微生物や菌体は、反応タンク８から排出管１１を通って供給されるこのオゾン含有バラスト水によって殺菌される。
【００５４】
主処理ラインの取水配管１内のバラスト水に対して、排出管１１によって反応タンク８内の高濃度のオゾン含有バラスト水を供給すればよいため、噴流発生装置４を用いた破壊による主処理ラインに大きな改変を要することなくそのまま利用することができる。
【００５５】
また、高濃度のオゾン溶解水を生成する反応タンク８は主処理ラインとは別ラインで設けられる態様では、主処理ラインに排オゾンを除去するための排気手段を設ける必要がなく、従って、本装置によれば、バラストタンク２に低コストでオゾン溶解水を供給することができるようになる。
【００５６】
主処理ラインの取水配管１の途中には、図１に示すように、反応タンク８から排出管１１を通って供給されるオゾン含有バラスト水による殺菌効果を促進させるため、殺菌タンク１３を設け、バラストタンク２の手前で一旦滞留させることが好ましい。
【００５７】
なお、反応タンク８から主処理ラインの取水配管１にオゾン含有バラスト水を供給する排出管１１は、噴流発生装置４の後方（下流）に接続することもできる。主処理ラインに上記殺菌タンク１３を設けている場合、この殺菌タンク１３に接続する態様とすることもできる。
【図面の簡単な説明】
【００５８】
【図１】本発明に係るバラスト水の処理装置の概要を示す構成図
【図２】本発明に用いられる噴流発生装置の一例を示す断面図
【図３】本発明に用いられる噴流発生装置の他の例を示す断面図
【図４】本発明に用いられる噴流発生装置の他の例を示す断面図
【符号の説明】
【００５９】
１：取水配管
２：バラストタンク
３：ポンプ
４：噴流発生装置
４１：水噴射ノズル
４２：衝撃板
５：取水配管
６：ポンプ
７：静的混合器
８：反応タンク
９：排オゾン管
１０：弁
１１：排出管
１２：弁
１３：殺菌タンク
１４：オゾン供給部
【図１】
2006218458.tif 000004
【図２】
2006218458.tif 000005
【図３】
2006218458.tif 000006
【図４】
2006218458.tif 000007